(57)【特許請求の範囲】
【請求項１】
フィードバック型能動騒音低減ヘッドホンの騒音低減量を向上させる方法であって、
前記フィードバック型能動騒音低減ヘッドホンの騒音低減マイクをスピーカの真正面から外れた位置に設けることと、
前記騒音低減マイクと着用者の耳道口との相対位置を調整することによって、前記耳道口における開ループ伝達関数であるL2(s0)と前記騒音低減マイクにおける開ループ伝達関数であるL1(s0)とが|L2(s0)|＞|L1(s0)|の関係を満たすようにして、前記耳道口における実際の騒音低減量を向上させることと、
を含むことを特徴とするフィードバック型能動騒音低減ヘッドホンの騒音低減量を向上させる方法。
【請求項２】
前記耳道口における開ループ伝達関数のL2(s0)と前記騒音低減マイクにおける開ループ伝達関数のL1(s0)とが|L2(s0)|＞|L1(s0)|の関係を満たすようにすることが、開ループ伝達関数の相対量Bがそのナイキストプロットにおいて円|B+1|=1の内側に入るようにすることを含み、そのうち、前記相対量Bが、前記耳道口における開ループ伝達関数のL2(s0)と前記騒音低減マイクにおける開ループ伝達関数のL1(s0)との差である、ことを特徴とする請求項１に記載の方法。
【請求項３】
前記方法が、
前記耳道口における開ループ伝達関数のL2(s0)と前記騒音低減マイクにおける開ループ伝達関数のL1(s0)を設計し、前記L1(s0)と前記L2(s0)の位相が円周率πの偶数倍であるとき、前記L1(s0)と前記L2(s0)の振幅が共に１より小さくなるように制御することをさらに含むことを特徴とする請求項２に記載の方法。
【請求項４】
前記方法をオンイヤータイプのフィードバック型能動騒音低減ヘッドホンに適用した場合、前記騒音低減マイクが、前記オンイヤータイプのフィードバック型能動騒音低減ヘッドホンのイヤーマフの下に設けられ、前記スピーカが着用者の前記耳道口と正対することを特徴とする請求項１〜３のいずれか１項に記載の方法。
【請求項５】
前記方法をアラウンドイヤータイプのフィードバック型能動騒音低減ヘッドホンに適用した場合、前記騒音低減マイクが前記アラウンドイヤータイプのフィードバック型能動騒音低減ヘッドホンのダンピングパッドの下に設けられ、前記スピーカが着用者の前記耳道口と正対し、且つ、その間にダンピングパッドがないことを特徴とする請求項１〜３のいずれか１項に記載の方法。
【請求項６】
前記ダンピングパッドが、ウールフェルト又は圧縮スポンジをイヤーマフに内填して形成されることを特徴とする請求項５に記載の方法。
【請求項７】
オンイヤータイプのフィードバック型能動騒音低減ヘッドホンであって、
前記オンイヤータイプのフィードバック型能動騒音低減ヘッドホンの騒音低減マイクが、スピーカの真正面から外れたイヤーマフの下に設けられ、前記スピーカが着用者の耳道口と正対しており、
着用時に、前記騒音低減マイクと着用者の前記耳道口との相対位置を調整することによって、前記耳道口における開ループ伝達関数であるL2(s0)と前記騒音低減マイクにおける開ループ伝達関数であるL1(s0)とが|L2(s0)|＞|L1(s0)|の関係を満たすようにして、前記耳道口における実際の騒音低減量を向上させる、
ことを特徴とするオンイヤータイプのフィードバック型能動騒音低減ヘッドホン。
【請求項８】
前記耳道口における開ループ伝達関数のL2(s0)と前記騒音低減マイクにおける開ループ伝達関数のL1(s0)は、位相が円周率πの偶数倍であるとき、前記L1(s0)と前記L2(s0)の振幅がともに１より小さい、ことを特徴とする請求項７に記載のオンイヤータイプのフィードバック型能動騒音低減ヘッドホン。
【請求項９】
アラウンドイヤータイプのフィードバック型能動騒音低減ヘッドホンであって、
前記アラウンドイヤータイプのフィードバック型能動騒音低減ヘッドホンの騒音低減マイクが、スピーカの真正面から外れたダンピングパッドの下に設けられ、前記スピーカが着用者の耳道口と正対しており、且つ、その間にダンピングパッドがなく、
着用時に、前記騒音低減マイクと着用者の前記耳道口との相対位置を調整することによって、前記耳道口における開ループ伝達関数であるL2(s0)と前記騒音低減マイクにおける開ループ伝達関数であるL1(s0)とが|L2(s0)|＞|L1(s0)|の関係を満たすようにして、前記耳道口における実際の騒音低減量を向上させる、
ことを特徴とするアラウンドイヤータイプのフィードバック型能動騒音低減ヘッドホン。
【請求項１０】
前記耳道口における開ループ伝達関数のL2(s0)と前記騒音低減マイクにおける開ループ伝達関数のL1(s0)は、位相が円周率πの偶数倍であるとき、前記L1(s0)と前記L2(s0)の振幅がともに1より小さいことを特徴とする請求項９に記載のアラウンドイヤータイプのフィードバック型能動騒音低減ヘッドホン。
【発明の詳細な説明】
【技術分野】
【０００１】
本発明は、能動騒音低減技術分野に関し、特に、フィードバック型能動騒音低減ヘッドホンの騒音低減量を向上させる方法及び能動騒音低減ヘッドホンに関する。
【背景技術】
【０００２】
フィードバック型能動騒音低減ヘッドホンは、オンイヤー（on-ear）タイプのヘッドホンとアラウンドイヤー（around-ear）タイプのヘッドホンとを含む。
【発明の概要】
【発明が解決しようとする課題】
【０００３】
オンイヤータイプのヘッドホンは、開ループ伝達関数の安定性が悪いため、フィードバック騒音低減を設計する際に、様々な状況における安定性問題を考慮することが必要であり、安定性を保証するためにヘッドホンの騒音低減量の犠牲を余儀なくされる。そして、アラウンドイヤータイプのヘッドホンと区別されるオンイヤータイプのヘッドホンの一つの顕著な特徴は、体積が小さいことであるが、スピーカの真正面に騒音低減マイクを取り付けると、オンイヤータイプのヘッドホンの厚みが増したり、着用の不快感を引き起こしたりすることがある。以上より、オンイヤータイプのフィードバック型能動騒音低減ヘッドホンは、現在広く使用されておらず、普及していない。
【０００４】
アラウンドイヤータイプのフィードバック型能動騒音低減ヘッドホンは、一般的に、サイズが比較的大きいため、設計時にシール性に重点を置く。そのイヤーマフが気密であるため、着用後に比較的剛性の高い空洞が形成され、その中で生じる強い音波反射がフィードバック型能動騒音低減ヘッドホンのハウリングを引き起こす。上記空洞内の音波反射を吸収して減少させるために、通常、比較的厚いウールフェルトまたは圧縮スポンジによって上記空洞の内部が充填される。この充填物がスピーカと着用者の耳道口との間に分布され、スピーカと騒音低減マイクを保護し、上記空洞の壁における内部反射を減らす役割を果たす一方で、着用者の耳道口における騒音低減量がかなり減少してしまう。
【０００５】
上記の課題を解決するために、本発明では、フィードバック型能動騒音低減ヘッドホンの騒音低減量を向上させる方法及び能動騒音低減ヘッドホンが提供されている。
【課題を解決するための手段】
【０００６】
第１の発明によるフィードバック型能動騒音低減ヘッドホンの騒音低減量を向上させる方法は、フィードバック型能動騒音低減ヘッドホンの騒音低減マイクを、スピーカの真正面から外れた位置に設けることと、前記騒音低減マイクと着用者の耳道口との相対位置を調整することによって、前記耳道口における開ループ伝達関数であるL2(s0)と前記騒音低減マイクにおける開ループ伝達関数であるL1(s0)とが|L2(s0)|＞|L1(s0)|の関係を満たすようにして、耳道口における実際の騒音低減量を向上させることと、を含む。
【０００７】
また、前記耳道口における開ループ伝達関数のL2(s0)と前記騒音低減マイクにおける開ループ伝達関数のL1(s0)とが|L2(s0)|＞|L1(s0)|の関係を満たすようにすることは、開ループ伝達関数の相対量Bがそのナイキストプロットにおいて円|B+1|=1の内側に入るようにすることを含み、そのうち、前記相対量Bが、前記耳道口における開ループ伝達関数のL2(s0)と前記騒音低減マイクにおける開ループ伝達関数のL1(s0)との差である。
【０００８】
また、前記方法は、前記耳道口における開ループ伝達関数のL2(s0)と前記騒音低減マイクにおける開ループ伝達関数のL1(s0)を設計し、前記L1(s0)と前記L2(s0)の位相が円周率πの偶数倍であるとき、前記L1(s0)と前記L2(s0)の振幅が共に１より小さくなるように制御することをさらに含む。
【０００９】
また、前記方法をオンイヤータイプのフィードバック型能動騒音低減ヘッドホンに適用した場合、前記騒音低減マイクが、前記オンイヤータイプのフィードバック型能動騒音低減ヘッドホンのイヤーマフの下に設けられ、前記スピーカが着用者の耳道口と正対する。
【００１０】
また、前記方法をアラウンドイヤータイプのフィードバック型能動騒音低減ヘッドホンに適用した場合、前記騒音低減マイクが、前記アラウンドイヤータイプのフィードバック型能動騒音低減ヘッドホンのダンピングパッドの下に設けられ、前記スピーカが着用者の耳道口と正対し、且つ、その間にダンピングパッドがない。
【００１１】
また、前記ダンピングパッドは、ウールフェルト又は圧縮スポンジをイヤーマフに内填して形成される。
【００１２】
第２の発明によるオンイヤータイプのフィードバック型能動騒音低減ヘッドホンは、騒音低減マイクが、スピーカの真正面から外れたイヤーマフの下に設けられ、前記スピーカが着用者の耳道口と正対しており、着用時に、前記騒音低減マイクと着用者の前記耳道口との相対位置を調整することによって、前記耳道口における開ループ伝達関数であるL2(s0)と前記騒音低減マイクにおける開ループ伝達関数であるL1(s0)とが|L2(s0)|＞|L1(s0)|の関係を満たすようにして、前記耳道口における実際の騒音低減量を向上させる。
【００１３】
また、前記耳道口における開ループ伝達関数のL2(s0)と前記騒音低減マイクにおける開ループ伝達関数のL1(s0)は、位相が円周率πの偶数倍であるとき、前記L1(s0)と前記L2(s0)の振幅が共に１より小さい。
【００１４】
第３の発明によるアラウンドイヤータイプのフィードバック型能動騒音低減ヘッドホンは、騒音低減マイクがスピーカの真正面から外れたダンピングパッドの下に設けられ、前記スピーカが着用者の耳道口と正対しており、且つ、その間にダンピングパッドがなく、着用時に、前記騒音低減マイクと着用者の前記耳道口との相対位置を調整することによって、前記耳道口における開ループ伝達関数であるL2(s0)と前記騒音低減マイクにおける開ループ伝達関数であるL1(s0)とが|L2(s0)|＞|L1(s0)|の関係を満たすようにして、前記耳道口における実際の騒音低減量を向上させる。
【００１５】
また、前記耳道口における開ループ伝達関数のL2(s0)と前記騒音低減マイクにおける開ループ伝達関数のL1(s0)は、位相が円周率πの偶数倍であるとき、前記L1(s0)と前記L2(s0)の振幅が共に１より小さい。
【発明の効果】
【００１６】
本発明によるフィードバック型能動騒音低減ヘッドホンの騒音低減量を向上させる方法は、オンイヤータイプの能動騒音低減ヘッドホンの騒音低減量及び安定性を効果的に向上させ、スピーカの真正面に騒音低減マイクを取り付けた場合の、厚みが増したり着用の不快感を引き起こしたりするという問題を解決することができる。また、アラウンドイヤータイプのフィードバック型能動騒音低減ヘッドホンについても、フィードバックシステムの閉ループ安定性を維持することができる上に、着用者の耳道口における騒音低減量を効果的に向上させることができる。
【図面の簡単な説明】
【００１７】
【図１】本発明の実施例のＡＮＲシステムのブロック図である。
【図２】本発明の実施例の耳道口及び騒音低減マイクにおけるアナログＡＮＲのブロック図である。
【図３】本発明の実施例の開ループ伝達関数の相対量Ｂのナイキストプロットである。
【図４】本発明の実施例によるフィードバック型能動騒音低減ヘッドホンの騒音低減量を向上させる方法のフローチャートである。
【図５】本発明の実施例によるオンイヤータイプのフィードバック型能動騒音低減ヘッドホンの技術案の模式図である。
【図６】本発明の実施例によるオンイヤータイプのフィードバック型能動騒音低減ヘッドホンの騒音低減量のテスト結果である。
【図７】従来のアラウンドイヤータイプのフィードバック型能動騒音低減ヘッドホンの技術案の模式図である。
【図８】本発明の実施例によるアラウンドイヤータイプのフィードバック型能動騒音低減ヘッドホンの技術案の模式図である。
【発明を実施するための形態】
【００１８】
本発明の目的、技術案及び利点が更に明白になるように、以下、図面を参照して、本発明の実施形態について更に詳しく説明する。
まず、アナログ能動騒音低減ヘッドホンのフィードバックシステムの騒音低減原理を分析する。
【００１９】
図１は、本発明の実施例のＡＮＲ（Active Noise Reduction、能動騒音低減）システムのブロック図である。図１に示すように、G(s)がスピーカと騒音低減マイクとの間の伝達関数、H(s)が制御回路、d(t)が外部騒音信号、e(t)が騒音低減マイクに収集された誤差信号である。
【００２０】
誤差信号e(t)と外部騒音d(t)との間の伝達関数をシステム感度関数S
【数１】
0006391883.tif 000002
として定義すると、誤差信号Eが小さいほど騒音低減効果がよくなることが分かる。騒音は、Sが１より小さい周波数帯域では低減され、Sが１より大きい周波数帯域では増強される。騒音低減効果（騒音低減周波数帯域及び騒音低減量）は開ループ伝達関数L（L = GH）に依存する。
【００２１】
アナログフィードバックシステムの開ループ伝達関数Lを設計する際には、以下の点に留意すべきである。
【００２２】
（１）閉ループシステムの安定性について考慮すると、ハウリングが発生しない臨界条件は、Lの位相が円周率πの偶数倍であるとき、振幅が１より小さいということである。実際に、振幅および位相は、設計プロセスにおいて十分なマージンを残さなければならない。そのため、耳道口における開ループ伝達関数であるL2(s0)と騒音低減マイクにおける開ループ伝達関数であるL1(s0)とを設計する際に、前記L1(s0)と前記L2(s0)の位相が円周率πの偶数倍であるときは、前記L1(s0)と前記L2(s0)の振幅が共に１より小さい。
【００２３】
（２）ウォーターベッド効果：騒音は、一部の周波数帯域で低減されれば、他の周波数帯域では増強される。
【００２４】
（３）トランジションゾーン：騒音が低減から増強に移行する周波数範囲である。
【００２５】
（４）G（s）チャネルの伝搬遅延による位相減衰が周波数の増大に伴って増加し、フィードバックシステムの位相マージンが減少し、フィードバックシステムの高周波数帯域での騒音低減の難しさが増加する。
【００２６】
図２は、本発明の実施例の耳道口及び騒音低減マイクにおけるアナログＡＮＲのブロック図である。図２に示すように、g1がスピーカと騒音低減マイクとの間の空気の伝達関数であり、騒音低減マイクは、感度がM1、受信信号がe1であり、g2がスピーカと人の耳との間の空気の伝達関数であり、耳道口は、感度がM2、受信信号がe2であり、制御回路がH、制御信号がY、スピーカの周波数応答がRである。ここで、イヤーマフ内の音場がdで安定していると仮定する。
【００２７】
騒音低減マイクにおける感度関数は、
【数２】
0006391883.tif 000003
となる。
【００２８】
それに対し、耳道口における感度関数は、
【数３】
0006391883.tif 000004
となる。
【００２９】
そのうち、Rg2M2は測定値であり、２つの感度関数の正規化係数kを導入することが必要とされる。即ち、
【数４】
0006391883.tif 000005
L1=HG1、L2=HG2、B=L2-L1とし、Bが、耳道口における開ループ伝達関数のL2(s0)と騒音低減マイクにおける開ループ伝達関数のL1(s0)との差である。耳道口における感度関数は、S2=S1*(1+B)、騒音残余量|e2|=|e1|*|1+B|として表すことができる。耳道口における騒音低減効果と騒音低減マイクにおける騒音低減効果との差は、Bの値に依存する。
【００３０】
L2とL1とが類似する周波数帯域では、Bの値が０に近づき、|1+B|が１に近づき、この時点で、耳道口と騒音低減マイクにおける騒音低減効果とが近づいている。Bが円|B+1|=1の外側にあるときは、|e2|>|e1|であり、騒音低減マイクにおける騒音低減効果に比べると、耳道口における騒音低減効果が悪くなる。Bが円|B+1|=1の内側にあるときは、|e2|<|e1|であり、騒音低減マイクにおける騒音低減効果に比べると、耳道口における騒音低減効果が増強される。
【００３１】
図３は、本発明の実施例の開ループ伝達関数の相対量Bのナイキストプロットである。図３に示すように、図３（ａ）において、騒音低減マイクにおける開ループ伝達関数の最大振幅がL1（s0）、対応する位相が−１８０°、耳道口における開ループ伝達関数値がL2(s0)である。騒音低減マイクに転送された制御信号のエネルギーが耳道口に伝達されたエネルギーより強くて、|L2(s0)|<|L1(s0)|となると、L2(s0)の位相にかかわらず、Bが第１象限や第４象限に入ることになり、この時点で|1+B|>1であり、耳道口における騒音低減量が常に騒音低減マイクにおける騒音低減量より小さくなる。図３（ｂ）において、L1(s0)の端点の垂線の左側にL2(s0)が入ると、Bは円|r+1|=1の内側に入る可能性がある。Bが円内に入る場合に限って、即ち、開ループ伝達関数の相対量Bがナイキストプロットにおいて円|B+1|=1の内側に入る場合に限って、騒音低減マイクにおける騒音低減量に比べると、耳道口における騒音低減量が増強される。中央の小円の内側にBが入ると、騒音低減量は６ｄＢ以上増える。
【００３２】
図４は、本発明の実施例によるフィードバック型能動騒音低減ヘッドホンの騒音低減量を向上させる方法のフローチャートであり、図４に示すように、前記方法は、下記のステップ４０１〜４０２を含む。
【００３３】
ステップ４０１では、フィードバック型能動騒音低減ヘッドホンの騒音低減マイクを、スピーカの真正面から外れた位置に設ける。
【００３４】
ステップ４０２では、騒音低減マイクと着用者の耳道口との相対位置を調整することによって、耳道口における開ループ伝達関数のL2(s0)と騒音低減マイクにおける開ループ伝達関数のL1(s0)とが|L2(s0)|＞|L1(s0)|の関係を満たすようにして、耳道口の実際の騒音低減量を向上させる。騒音低減マイクと着用者の耳道口との相対位置が調整されると、g1、g2、スピーカと着用者の耳道口との間のダンピングの大きさ、及びM1、M2などのパラメータもそれに合わせて調整され、これらのパラメータの調整に伴って、伝達関数L1、L2が変化する。
【００３５】
ここで、ステップ４０２において、前記耳道口における開ループ伝達関数のL2(s0)と騒音低減マイクにおける開ループ伝達関数のL1(s0)とが|L2(s0)|＞|L1(s0)|の関係を満たすようにすることは、開ループ伝達関数の相対量Bがそのナイキストプロットにおいて円|B+1|=1の内側に入るようにすることを含む。この場合、Bが耳道口における開ループ伝達関数のL2(s0)と騒音低減マイクにおける開ループ伝達関数のL1(s0)との差である。
【００３６】
なお、閉ループシステムの安定性を考慮すると、ハウリングが発生しないようにするためには、前記耳道口における開ループ伝達関数のL2(s0)と騒音低減マイクにおける開ループ伝達関数のL1(s0)とを設計し、前記L1(s0)と前記L2(s0)の位相が円周率πの偶数倍であるとき、前記L1(s0)及び前記L2(s0)の振幅が共に１より小さくなるように制御する。
【００３７】
オンイヤータイプのヘッドホンは、着用時の安定性が悪いため、耳腔内の音響経路の安定性が悪くなる。このように、ANC回路基板、SPK、耳腔内の音響経路及びMICによって形成された閉ループ全体のループゲインは、あまり大きく設定してはいけない。さもなければ、ハウリングが発生する可能性がある。したがって、従来のANC設計をオンイヤータイプのヘッドホンに使用すると騒音低減量が小さくなるため、このようなタイプの騒音低減ヘッドホンは一般的に見かけない。
【００３８】
図５は、本発明の実施例によるオンイヤータイプのフィードバック型能動騒音低減ヘッドホンの技術案の模式図である。図５に示すように、本発明によるオンイヤータイプのフィードバック型能動騒音低減ヘッドホンは、その騒音低減マイクがスピーカの真正面から外れたイヤーマフの下に設けられ、前記スピーカが着用者の耳道口と正対しており、SPKの音声の一部がイヤーマフによって減衰されるので、フィードバックループ全体のゲインがある程度低下し、フィードバックループの安定性に役立つ。
【００３９】
着用時に、騒音低減マイクと着用者の耳道口との相対位置を調整することによって、g1、g2、スピーカと着用者の耳道口との間のダンピングの大きさ、及びM1、M2などのパラメータもそれに合わせて調整され、これらのパラメータの調整に伴って、伝達関数L1、L2が変化する。このようにして、耳道口における開ループ伝達関数のL2(s0)と騒音低減マイクにおける開ループ伝達関数のL1(s0)とが|L2(s0)|＞|L1(s0)|の関係を満たすようにして、耳道口における実際の騒音低減量を向上させる。前記耳道口における開ループ伝達関数のL2(s0)と前記騒音低減マイクにおける開ループ伝達関数のL1(s0)を設計し、位相が円周率πの偶数倍であるとき、前記L1(s0)と前記L2(s0)の振幅が共に１より小さくなるように制御することにより、ハウリングが発生しないようにすると共に、耳道口における実際に使用された騒音低減量をある程度向上させることができる。
【００４０】
図６は、本発明の実施例によるオンイヤータイプのフィードバック型能動騒音低減ヘッドホンの騒音低減量のテスト結果である。図６に示すように、騒音低減量の少ない下側の曲線が、騒音低減マイクで測定した騒音低減曲線であり、騒音低減量の多い上側の曲線が、着用者の耳における騒音低減曲線である。着用者の耳道口における実際に使用された騒音低減量が３ｄＢだけ増えていることがわかる。
【００４１】
図７は、従来のアラウンドイヤータイプのフィードバック型能動騒音低減ヘッドホンの技術案の模式図であり、図８は、本発明の実施例によるアラウンドイヤータイプのフィードバック型能動騒音低減ヘッドホンの技術案の模式図である。図８に示すように、本発明によるアラウンドイヤータイプのフィードバック型能動騒音低減ヘッドホンは、図７に示す従来のアラウンドイヤータイプのフィードバック型能動騒音低減ヘッドホンに比べると、騒音低減マイクがスピーカの真正面から外れたダンピングパッドの下に設けられ、前記スピーカが着用者の耳道口と正対しており、且つ、その間にダンピングパッドがない。着用時に、騒音低減マイクと着用者の耳道口との相対位置が調整されると、g1、g2、スピーカと着用者の耳道口との間のダンピングの大きさ、及びM1、M2などのパラメータもそれに合わせて調整され、これらのパラメータの調整に伴って、伝達関数L1、L2が変化する。このようにして、耳道口における開ループ伝達関数のL2(s0)と騒音低減マイクにおける開ループ伝達関数のL1(s0)とが|L2(s0)|＞|L1(s0)|の関係を満たすようにして、耳道口における実際の騒音低減量を向上させる。
【００４２】
前記耳道口における開ループ伝達関数のL2(s0)と前記騒音低減マイクにおける開ループ伝達関数のL1(s0)を設計し、位相が円周率πの偶数倍であるとき、前記L1(s0)と前記L2(s0)の振幅が共に１より小さくなるようにすることで、閉ループシステムの安定性を保証することができると共に、ハウリングの発生を回避することができる。
【００４３】
以上を纏めると、本発明によるフィードバック型能動騒音低減ヘッドホンの騒音低減量を向上させる方法、及び能動騒音低減ヘッドホンは、従来技術に対して、下記の有益な効果を有する。
【００４４】
（１）本発明によるフィードバック型能動騒音低減ヘッドホンの騒音低減量を向上させる方法は、騒音低減マイクの位置と着用者の耳道口の音声伝達関数の関係を調整することで、フィードバックシステムの閉ループ安定性を向上させると共に、着用者の耳道口における実際の騒音低減量を向上させることができる。
【００４５】
（２）本発明によるオンイヤータイプのフィードバック型能動騒音低減ヘッドホンは、従来技術においてスピーカの真正面に騒音低減マイクを取り付けた場合に、オンイヤータイプのヘッドホンの厚みが増したり、着用の不快感を引き起こしたりするという問題を解消することができる。
【００４６】
（３）本発明によるアラウンドイヤータイプのフィードバック型能動騒音低減ヘッドホンは、従来技術においてシステムの安定性を保証するために、スピーカと着用者の耳道口との間に比較的厚い充填物を使用したりループゲインを減衰させたりした場合に、着用者の耳道口における騒音低減量がかなり減少されてしまうという問題を解消することができる。
【００４７】
上記したのは、あくまでも本発明の好ましい実施例であり、本発明の保護範囲を限定するものではない。本発明の精神及び原則内になされたいかなる補正、均等的な置換、改善等は、いずれも本発明の保護範囲内に含まれるものとする。
【図１】
0006391883.tif 000006
【図２】
0006391883.tif 000007
【図３】
0006391883.tif 000008
【図４】
0006391883.tif 000009
【図５】
0006391883.tif 000010
【図６】
0006391883.tif 000011
【図７】
0006391883.tif 000012
【図８】
0006391883.tif 000013